(57)【要約】【課題】レンチヘッド内に回転可能に取り付けられた両側面付きレンチロータを採用するラチェットレンチに適用され、迅速に且つ容易にナットの締め付け作業を行える、ラチェットレンチとこれに係合可能な延長部材との組合せ体を提供する。【解決手段】  レンチヘッド１２と、レンチヘッドから伸びるレンチハンドル１４と、レンチヘッド内に回転可能に取り付けられた両側面付きレンチロータ１６と、レンチロータと一体回転可能な一対の突起１８，２０とを有するラチェットレンチ１０と、突起のうちソケット２２が接続されていない方と接続された手動にて係合可能な延長部材３０であって、レンチロータと、延長部材と接続されていない突起が係合した任意のソケットとを回転させるように外方に伸びる係合可能な延長部材３０とを含んでいる組合せ体。【選択図】図３
2008543595.tif 000002
【特許請求の範囲】
【請求項１】
レンチヘッドと、前記ラチェットヘッドから伸びるレンチハンドルと、前記レンチヘッド内に回転可能に取り付けられた両側面付きレンチロータと、一対の突起とを有するラチェットレンチであって、前記突起は、前記両側面付きレンチロータの対向した側部から伸び且つ、該レンチロータと共に回転可能であり、前記突起の少なくとも１つは、ソケットと選択的に解放可能に係合できる前記ラチェットレンチと、
前記突起の他方と接続された手動にて係合可能な延長部材であって、前記レンチロータと、手動にて係合可能な延長部材と接続されていない突起が係合した任意のソケットとを回転させるように外方に伸びる前記手動にて係合可能な延長部材と、を含んでなる、組合せ体。
【請求項２】
請求項１に記載の組合せ体において、前記手動にて係合可能な延長部材は、前記レンチロータを超えて外方に伸びる、組合せ体。
【請求項３】
請求項２に記載の組合せ体において、前記手動にて係合可能な延長部材は、前記レンチヘッドを超える位置に配置された末端を有する細長い部材を備える、組合せ体。
【請求項４】
請求項３に記載の組合せ体において、前記細長い部材は、指を受け入れる穴を画成する、組合せ体。
【請求項５】
請求項４に記載の組合せ体において、前記穴は、前記末端を貫通して伸びる開口部である、組合せ体。
【請求項６】
請求項４に記載の組合せ体において、前記穴は、前記末端により画成された凹部である、組合せ体。
【請求項７】
請求項１に記載の組合せ体において、前記突起の前記双方は、ソケットと選択的に解放可能に代替的に係合でき、前記手動にて係合可能な延長部材は、前記レンチロータと、前記突起の他方を受け入れるソケットとを回転させるように、前記突起の一方と解放可能に接続され、前記手動にて係合可能な延長部材は、該延長部材が解放可能に接続される突起を受け入れる凹部を画成し、前記手動にて係合可能な延長部材は、該延長部材が解放可能に接続される突起に対して動かないように固定される、組合せ体。
【請求項８】
請求項１に記載のコネクタにおいて、前記手動にて係合可能な延長部材は、前記凹部を画成する基部分と、前記レンチヘッドから隔てられた位置にて前記基部分に取り付けられた細長いアームとを含む、コネクタ。
【請求項９】
請求項１に記載の組合せ体において、前記手動にて係合可能な延長部材は、手動にて係合可能な２つのノブ部分を有するノブを備え、前記ノブ部分の各々は、円筒状の形状をした外周面を有し、前記ノブ部分の円筒状の形状をした外周面は、異なる直径を有する、組合せ体。
【請求項１０】
請求項４に記載の組合せ体において、前記手動にて係合可能な延長部材は、前記細長い部材から上方に伸びて、前記穴を少なくとも部分的に画成する円筒状の形状の壁を更に備える、組合せ体。
【請求項１１】
請求項３に記載の組合せ体において、前記細長い部材は、その末端に穴を画成し、前記手動にて係合可能な延長部材は、前記穴内に回転可能に取り付けられた手動にて係合可能な要素を更に備える、組合せ体。
【請求項１２】
請求項１１に記載の組合せ体において、前記手動にて係合可能な要素は、ユーザの指を受け入れる凹部を画成する、組合せ体。
【請求項１３】
請求項１１に記載の組合せ体において、前記手動にて係合可能な要素は、前記細長い部材から上方に伸びる把持可能な突起を備える、組合せ体。
【請求項１４】
レンチヘッドと、前記ラチェットヘッドから伸びるレンチハンドルと、前記レンチヘッド内に回転可能に取り付けられた両側面付きレンチロータと、第一及び第二の突起とを有するラチェットレンチであって、前記第一及び第二の突起は、ソケットと選択的に代替的に解放可能に係合でき、前記第一の突起は、レンチロータの側部の一方に取り付けられ且つ該側部の一方から外方に突き出し、第二の突起は、レンチロータの側部の他方に取り付けられ且つ該他方の側部から外方に突き出す、前記ラチェットレンチと、
前記第一の突起と解放可能に接続され、外方に伸びて、前記レンチロータと、前記第二の突起を受け入れるソケットとを回転させる、手動にて係合可能な延長部材であって、前記手動にて係合可能な延長部材は、前記手動にて係合可能な部材及び前記第一の突起は、互いに動かないように固定された状態で、第一の突起を受け入れる凹部を画成する延長部材と、を含んでなる組合せ体。
【請求項１５】
レンチヘッドと、前記ラチェットヘッドから伸びるレンチハンドルと、前記レンチヘッド内にて回転可能に取り付けられた両側面付きレンチロータと、第一の突起と、第二の突起とを有するラチェットレンチと組み合わせて使用される手動にて係合可能な延長部材であって、前記第一及び第二の突起は、ソケットと選択的に代替的に解放可能に係合することができ、前記第一の突起は、レンチロータの側部の一方に取り付けられ且つ該一方の側部から外方に突き出し、第二の突起は、レンチロータの側部の他方に取り付けられ且つ該他方の側部から外方に突き出し、前記レンチロータ、前記第一及び第二の突起が同時に回転するのを容易にする前記手動にて係合可能な延長部材において、第一の突起と解放可能に接続され、また、前記レンチロータと、第二の突起を受け入れるソケットと回転させ得るように外方に伸び、前記手動にて係合可能な部材及び前記第一の突起は互いに回転動作しないように固定された状態で第一の突起を受け入れる凹部を画成する、手動にて係合可能な延長部材。
【発明の詳細な説明】
【技術分野】
【０００１】
本発明は、ナットとボルト又はスタッドとのねじ止めを容易にする構造体と組み合わさった、従来の構造のラチェットレンチを含むラチェットレンチ装置に関する。
【背景技術】
【０００２】
ラチェットレンチは、ナット、ボルト又はスタッドを締め付けるためソケットと共に採用される周知の工具である。通常、ナットは、手でボルト又はスタッド上に配置され、ナットが加工物に接触する迄、指を使用して回転させる。次に、ラチェットレンチを当てがってナットを締め付ける。時々、ボルトにおけるナットの抗力が過大となり、直接指が接触してナットを所定の位置に締め付けることができないことがある。こうした場合、ラチェットは、ナットの回転が遅くなるように当てがわれなければならず、このことは、面倒で、時間を消費し且つ骨の折れる作業である。時々、その抗力は、指で直接ねじ止めすることができない程に過大であるが、ラチェットレンチの逆抗力に打勝つのに十分ではないことがある。この場合、怠惰者であるかのように、オープンエンド又はボックスレンチを使用して、ナットをねじ付きボルト又はスタッドに締め付けなければならない。
【特許文献１】米国特許明細書５，０９５，７８１号
【特許文献２】米国特許明細書５，１５２，１９６号
【特許文献３】米国特許明細書６，６８１，６６０号
【特許文献４】米国特許明細書６，１３８，５３１号
【特許文献５】米国特許明細書３４０，６２８号
【特許文献６】米国特許明細書４２１，６２４号
【発明の開示】
【発明が解決しようとする課題】
【０００３】
以下に更に詳細に説明するように、本発明の装置は、上述した問題点を解決し、また、作業の速度及び利便性を向上させるため採用される。ラチェットレンチを利用するが、ラチェットレンチハンドルを動かすことを必要とせずに、ナットの予備的なねじ止めを行なうことができる。このことは、指とナットとが直接接触することなく実行される。
【０００４】
米国特許明細書５，０９５，７８１号には、鋸歯状の周端縁を有して中央に穴があるディスクを備えるラチェットスピンナーが開示されている。一体型のセグメント化したカラーが中央のディスク穴を取り囲み、また、ディスクから軸方向に突出している。セグメント化したカラーは、中央穴の円周に対して接線方向に配置された複数の平坦な側部付きのフランジを画成する。
【０００５】
米国特許明細書５，１５２，１９６号には、ノブ状の形態を有する補助ラチェット動作機構を含むラチェットレンチが開示されている。補助ラチェットは、主機構よりもラチェット動作抵抗が小さいが、ナットは、依然として、前後方向へ動くことができる。
【０００６】
米国特許明細書６，６８１，６６０号には、遊星歯車機構を受け入れる開口部を有する主ハンドル部分を備える可変速度ラチェットレンチが開示されている。取り付けられた二次的ハンドルは、非係止状態において遊星歯車が太陽歯車に対して回転するのを許容し且つ、係止状態に係止されたとき、遊星歯車が太陽歯車の回りにて回転するのを防止し、これにより出力軸の駆動速度を歯車にて増速することができる。
【０００７】
米国特許明細書６，１３８，５３１号には、手動のラチェットレンチが開示されている。米国特許明細書３４０，６２８号及び米国特許明細書４２１，６２４号には、ラチェットレンチ用の装飾デザインが示されている。
【課題を解決するための手段】
【０００８】
本発明は、レンチヘッド内に回転可能に取り付けられた両側面付きレンチロータを採用するラチェットレンチに特に適用される。本発明の図示した実施の形態は、突起が両側面付きレンチロータの両側部から伸びる構成と合体される。先行技術の構成は、この型式のラチェットレンチと共に使用するのに適していない。更に、本発明は、ナットの締め付け作業を行うため迅速に且つ容易に採用することができる。本発明は、その相対的な簡略性、使用の容易性及び低コストであることを特徴とする。高抗力、低抗力及びその中間の抗力にてナットのねじ止め又は締め付けを容易に行なうことができる。
【０００９】
本発明の組合せ体は、レンチヘッドと、ラチェットヘッドから伸びるレンチハンドルと、レンチヘッド内に回転可能に取り付けられた両側面付きのレンチロータとを有するラチェットレンチを含む。一対の突起が両側面付きレンチロータの対向した側部から伸び、また、該レンチロータと共に回転可能であり、突起の少なくとも１つは、通常の仕方にてソケットと選択的に解放可能に係合できる。
【００１０】
手動にて係合可能な延長部材が突起の他方と接続され且つ外方に伸びて、手動にて係合可能な延長部材と接続されていない突起に取り付けられる任意のソケットと共にレンチロータを回転させるようになっている。
【００１１】
本発明のその他の特徴、有利な点及び目的は、以下の説明及び添付図面を参照することにより明らかになるであろう。
【発明を実施するための最良の形態】
【００１２】
先ず、図１ないし図３及び図１１を参照すると、本発明の１つの好ましい形態が示されている。従来の構造のラチェットレンチは、参照番号１０にて示されている。ラチェットレンチは、レンチヘッド１２と、ラチェットヘッドから伸びるレンチハンドル１４と、レンチヘッド内に回転可能に取り付けられた両側面付きレンチロータ又は回転要素１６と、両面レンチロータの両側部から伸び且つ該レンチロータと共に回転可能な一対の突起１８、２０とを有している。
【００１３】
当該技術にて既知であるように、突起は異なる寸法のソケットを受容し得るよう異なる寸法をしている。図１０及び図１１には、突起２０と接続されたソケット２２が示されている。突起は、レンチロータに固定され且つ該レンチロータと共に回転可能である。
参照番号３０は、本発明の教示により製造された手動にて係合可能な延長部材を表わす。部材３０は、ユーザの指を受け入れる穴３４を画成する末端３２を有する細長い部材である。より特定的には、穴３４は、末端を貫通して伸びる型式の開口部である。図１０には、穴を通って伸びる人間の指で回転されている部材３０が示されている。
手動にて係合可能な延長部材３０は、剛性のある単一物の構造であり、基部分３６を有する。細長いアーム３８は、レンチヘッドから隔てられた位置にて基部分に一体的に取り付けられている。
【００１４】
手動にて係合可能な延長部材は、レンチロータを超えて外方に伸びて、手動にて係合可能な延長部材を利用してレンチロータを回転させるとき、機械的利点を提供する。
【００１５】
図示した実施の形態において、手動にて係合可能な延長部材３０は、レンチロータ及び突起２０を受け入れるソケットを回転させ得るよう突起１８と解放可能に接続されている。基部分３６は、突起１８を受け入れる凹部４０を画成する。ソケットをラチェットレンチの突起に取り付けるために採用されるものと同一の凹部／止め部の装置が手動にて係合可能な延長部材にて採用され、手動にて係合可能な延長部材及び突起１８を解放可能に接続する。凹部４０の内部形状は、突起１８の形状に相応し、突起と手動にて係合可能な延長部材との相対的な回転動作は、突起１８が凹部内に受け入れられたとき、防止される。
【００１６】
図１０には、レンチと解放可能に接続され、また、単に、ユーザの指を穴に挿入し且つ、回転力を加えるだけで突起、取り付けられたロータ及びソケット２２を回転させるため利用される手動にて係合可能な延長部材が示されている。この回転は、ラチェットレンチの制御レバー４２の位置に依存して二重矢印で示したように、時計回り方向又は反時計回り方向の何れかに向けて行なうことができる。
【００１７】
図４、図５、図６及び図１１には、手動にて係合可能な延長部材３０Ａの代替的な実施の形態が示されている。この実施の形態において、ユーザの指を受け入れる穴は、手動にて係合可能な延長部分の末端により画成され且つ、ユーザの指の一端を受け入れるくぼみ５０の形をしている。
【００１８】
図７、図８、図９及び図１２には、参照番号５２で示した手動にて係合可能な延長部材の第三の実施の形態が開示されている。この実施の形態は、手動にて係合可能な２つのノブ部分５４、５６を有するノブの形態をしている。ノブ部分の各々は、図示するように、少なくともその一部分がギザギザ面とされた円筒状の形状の外周面を有している。ノブ部分５４の直径は、ノブ部分５４の直径よりも著しく小さく、また、個々のユーザは、図１２に示したように、ラチェットレンチに取り付けられたとき、適宜にいずれを使用しても、手動にて係合可能な延長部材５２を回転させることができる。突起１８は凹部５８内に座している。
【００１９】
図１３及び図１４には、参照番号６０で示した手動にて係合可能な延長部材の第四の実施の形態が示されている。この実施の形態において、円筒状の形状の壁６２は、末端６４から上方に伸びて凹部６６の形態の穴を画成する。
【００２０】
本発明の第五の実施の形態が図１５に示され且つ、参照番号７０で識別されている。この構成において、貫通孔の形態をした穴が末端７４に配置されている。軸受７６が貫通孔７２内に配置され、また、手動にて係合可能な要素８０の軸部７８が軸受によって回転可能に取り付けられている。ユーザの指を受け入れる凹部８２が手動にて係合可能な要素８０の外端に形成されている。ユーザが手動にて係合可能な延長部材を回転させる間、要素８０は同様に回転し、このため、その位置は、ユーザの指に対して固定されたままである。
【００２１】
図１６には、図１５の実施の形態に似た第六の実施の形態が示されている。しかし、この場合、手動にて係合可能な要素は、貫通孔７２から上方に伸びる把握可能な突起９２を備えている。
【図面の簡単な説明】
【００２２】
【図１】本発明の教示による構造とされた手動にて係合可能な延長部材の好ましい実施の形態を示す斜視図である。
【図２】ラチェットレンチと接続された手動にて係合可能な延長部材を示す図である。
【図３】ラチェットレンチと接続する前の図２の線３−３に沿った断面図にて示す手動にて係合可能な延長部材の拡大立面図である。
【図４】手動にて係合可能な延長部材の代替的な実施の形態を示す図１と同様の図である。
【図５】ラチェットレンチ上の所定の位置にある延長部材の図４の実施の形態を示す斜視図である。
【図６】手動にて係合可能な延長部材の代替的な実施の形態を示す拡大断面図である。
【図７】手動にて係合可能な延長部材の第三の実施の形態を示す斜視図である。
【図８】ラチェットレンチ上の所定の位置にある第三の実施の形態を示す図である。
【図９】第三の実施の形態を示す図８の線９−９に沿った断面図である。
【図１０】手動にて係合可能な延長部材が二重矢印で示したように、手動にて回転されるときの、本発明の第一の実施の形態を使用する状態を示す図である。
【図１１】手動にて係合可能な延長部材の第三の実施の形態が回転されるときの、図１０と同様の図である。
【図１２】手動にて延長可能な部材の第三の実施の形態が回転されるときの、斜視図である。
【図１３】図５と同様であるが、本発明の第四の実施の形態を示す図である。
【図１４】図６と同様であるが、本発明の第四の実施の形態を示す図である。
【図１５】本発明の第五の実施の形態を示す断面図である。
【図１６】本発明の第六の実施の形態を示す断面図である。
【符号の説明】
【００２３】
１０：ラチェットレンチ    １２：レンチヘッド    １４：ハンドル    １６：レンチロータ    １８，２０：突起    ２２：ソケット    ３０：延長部材    ３６：基部分    ３４：穴    ４０：凹部
【図１】
2008543595.tif 000003
【図２】
2008543595.tif 000004
【図３】
2008543595.tif 000005
【図４】
2008543595.tif 000006
【図５】
2008543595.tif 000007
【図６】
2008543595.tif 000008
【図７】
2008543595.tif 000009
【図８】
2008543595.tif 000010
【図９】
2008543595.tif 000011
【図１０】
2008543595.tif 000012
【図１１】
2008543595.tif 000013
【図１２】
2008543595.tif 000014
【図１３】
2008543595.tif 000015
【図１４】
2008543595.tif 000016
【図１５】
2008543595.tif 000017
【図１６】
2008543595.tif 000018
【国際調査報告】
2008543595.tif 000019